(57)【特許請求の範囲】
【請求項１】
表示画面を照明する表示用照明装置において、
前記表示画面を照明する光源と、
前記表示用照明装置に内蔵され、前記光源に電力を供給するための電源としての電池と、
前記電源としての電池の残量を検出する残量検出手段と、
前記光源への供給電力を調節する電力調節手段と、
外光の明るさを検出する外光検出手段と、
前記外光と、電源としての電池の残量の各々に対する光源に係わる条件を設定する条件設定手段と、
前記外光検出手段によって検出された外光の明るさに応じて前記条件設定手段による条件から導かれる第１の制御値と、
前記残量検出手段によって検出された電池の残量に応じた前記条件設定手段による条件から導かれる第２の制御値と、
を比較することにより制御値を決定する制御値決定手段と、
前記制御値決定手段により決定した制御値に基づき前記光源への供給電力を制御する制御手段とを備える表示用照明装置。
【発明の詳細な説明】
【０００１】
【発明の属する技術分野】
本発明は、情報処理装置等の表示画面を照明する表示用照明装置に関する。
【０００２】
【従来の技術】
パーソナルコンピュータ等の情報処理装置、特に、電池を電源として動作するような携帯型情報処理装置では、パワーマネージメント機能と呼ばれる省電力機能が設けられていることが多い。この省電力機能は、利用者が入力操作を行わない状態が一定時間継続したときや、外部電源による電力供給から内蔵電池による電力供給に切り替わったときや、内蔵電池による電力供給の際に電池残量が一定値以下になったとき等に、情報処理装置内部や周辺に接続されている各種デバイスへの供給電力を低減して、それらの消費電力を削減する。
【０００３】
また、近年、情報処理装置においては、省電力のために、反射型液晶表示装置がよく使われている。この反射型液晶表示装置は、外光がその表示画面に照明されることによって該表示画面上の画像が視認されるものであって、透過型液晶表示装置のバックライトに相当するものを必要とせず、このために省電力を実現することができる。
【０００４】
この様な反射型液晶表示装置においては、外光がないときでも表示画面の画像を見える様にするため、フロントライト（光源）を取り付けることがある（例えば、実開平６−１９０２４号を参照）。
【０００５】
尚、透過型液晶表示装置においては、バックライトが必須であって、このバックライトに関する省電力が既に提案されている（例えば、特許第２７０２３４６号、特開平７−１４０４３８号等を参照）。あるいは、太陽電池からの電力によって２次電池を充電し、夜間の人体関知時にのみ、該２次電池からの供給電力によって照明を行う交通照明システムが提案されている（特開平２−１５２１９７号）。
【０００６】
【発明が解決しようとする課題】
ところで、上記従来の反射型液晶表示装置においては、フロントライト（光源）によって表示画面を照明すると、当然のことながら、消費電力が増大する。このため、表示画面の照明に費やす電力の削減を図らねばならない。例えば、外光レベルを検出し、この外光レベルが予め設定されたしきい値以下になったとき、つまり周囲が暗くなったときにのみ、光源を点灯したり、あるいは光源の点灯が一定時間継続すると該光源を消灯し、これによって電力を削減していた。
【０００７】
しかしながら、従来は、光源を点灯したり消灯するときの条件（例えば、外光レベルと比較される上記しきい値や光源の消灯に係わる上記一定時間継続）が不変であり、情報処理装置の多様な使用環境下においては、その条件が適切でないことが多く、消費電力の低減を充分に行えなかったり、使い勝手が悪くなるという問題があった。また、多様な利用者が利用することを考慮すると、一律な条件に基づいて消費電力の低減を図っても、個人差によって、消費電力の低減を充分に行えなかったり、使い勝手が悪くなった。更に、光源を点灯したり消灯するだけでは、消費電力の低減を充分に行えなかったり、使い勝手が悪くなった。
【０００８】
そこで、本発明は、上記従来の課題に鑑みなされたもので、情報処理装置等の表示画面を照明する上で、消費電力の低減を充分に行え、かつ使い勝手が良い表示用照明装置を提供することを目的とする。
【０００９】
【課題を解決するための手段】
上記課題を解決するために、本発明においては、表示画面を照明する表示用照明装置において、前記表示画面を照明する光源と、前記光源への供給電力を調節する電力調節手段と、外光の明るさを検出する外光検出手段と、前記光源に係わる種々の条件を設定する条件設定手段と、前記外光検出手段によって検出された外光の明るさに応じて前記光源に電力を供給するか否かを判定し、該光源に電力を供給すると判定した場合は、前記条件設定手段による条件に基づいて該光源への供給電力を制御する制御手段とを備えている。
【００１０】
本発明によれば、表示画面を照明する光源に電力を供給するか否かを外光の明るさに応じて判定している。そして、光源に電力を供給すると判定した場合は、種々の条件に基づいて光源への供給電力を制御している。すなわち、外光の明るさに応じて光源に電力を供給するか否かを決めるだけでなく、種々の条件に基づいて光源への供給電力を制御し、これによって消費電力を低減し、かつ使い勝手を向上を果たしている。
【００１１】
一実施形態では、前記表示画面は、反射型液晶表示装置及び透過兼反射型液晶表示装置のいずれかの表示画面である。表示画面を照明する光源を必要とする表示装置としては、反射型液晶表示装置及び透過兼反射型液晶表示装置があるので、これらの液晶表示装置を本発明の適用例として挙げることができる。
【００１２】
一実施形態では、前記制御手段は、前記条件設定手段による条件に基づいて前記光源への供給電力を増減する。光源への供給電力を増減すれば、光源の照度を調節することができ、必要以上に光源の照度を高くして、電力を無駄に消費したり、光源の照度が低すぎて、表示画面が見難くなることを避けることができる。
【００１３】
一実施形態では、前記制御手段は、前記外光検出手段によって検出された外光の明るさに対応する前記光源の供給電力を求め、前記条件設定手段による条件に基づいて該求められた供給電力を制御することによって、前記光源の照度を調節する。外光の明るさに応じて光源への供給電力を増減し、光源の照度を適宜に設定すれば、電力を有効に使用することができる。
【００１４】
一実施形態では、前記制御手段は、前記条件設定手段による条件に基づいて前記光源への供給電力を停止する。光源の電力を停止すれば、電力を無駄に消費することがない。
【００１５】
一実施形態では、前記制御手段は、前記光源への供給電力を停止した後に、前記条件設定手段による条件に基づいて前記光源への電力の供給を再開する。光源の電力を停止した後でも、所定の条件に応じて光源への電力の供給を再開すれば、使い勝手が向上する。
【００１６】
一実施形態では、前記光源に電力を供給するための電源として、外部電源、及び該表示用照明装置に内蔵の電池を用いており、前記外部電源及び前記内蔵の電池別に、前記条件設定手段においてそれぞれの条件が設定されて、前記光源への供給電力が制御される。外部電源による電力供給は、長時間の継続が見込める。これに対して内蔵の電池による電力供給は、短時間に限定される。このため、外部電源及び内蔵の電池別に、それぞれの条件に基づいて光源への供給電力を制御する。
【００１７】
一実施形態では、前記光源に電力を供給するための電源として、該表示用照明装置に内蔵の電池を用いており、前記内蔵の電池の充電レベルを検出する充電レベル検出手段を備え、前記制御手段は、前記充電レベル検出手段によって検出された前記内蔵の電池の充電レベルが予め定められたしきい値以下になると、該内蔵の電池による前記光源への電力供給を停止する。これによって、内蔵の電池の電力供給能力が低下したときには、該電力供給が停止される。
【００１８】
一実施形態では、複数の前記外光検出手段を備え、前記制御手段は、前記各外光検出手段によって検出された外光の明るさに応じて前記光源の供給電力を制御する。この場合、複数箇所で外光の明るさが検出されるので、表示画面の明るさを正確に判定することができる。
【００１９】
一実施形態では、外部の外部外光検出手段が有り、前記制御手段は、前記外部外光検出手段によって検出された外光の明るさに応じて前記光源の供給電力を制御する。例えば、外部外光検出手段によって利用者が近づいてきたことを検出し、光源の供給電力を制御する。
【００２０】
一実施形態では、前記制御手段は、前記光源の供給電力を複数のレベルのいずれかに調節する。
【００２１】
一実施形態では、前記外光検出手段によって検出された外光の明るさに応じて前記光源の供給電力を複数のレベルのいずれかに調節する。
【００２２】
一実施形態では、個人を識別するための個人識別機能を備え、前記条件設定手段によって前記個人に応じた条件が設定され、前記制御手段は、前記個人識別機能によって個人が識別されると、前記条件設定手段によって設定された該個人に応じた条件に基づいて前記光源への供給電力を制御している。個人を識別し、個人に応じた条件に基づいて光源への供給電力を制御すれば、個人の好みに応じて光源の照度を過不足無く設定することができる。あるいは、他人による使用を禁止することができる。
【００２３】
【発明の実施の形態】
以下、本発明の実施の形態を添付図面を参照して説明する。
【００２４】
図１は、本発明の表示用照明装置の一実施形態を示すブロック図である。本実施形態の表示用照明装置１１は、情報処理装置の反射型液晶表示装置１２の表示画面を照射するフロントライト１３のオンオフ及び照度を制御するものである。
【００２５】
図１において、中央処理装置１４は、情報処理装置の基本機能を実現するものであって、例えば画像データを表示コントローラ１５に与えたり、フロントライト照度コントローラ１６を介してフロントライト１３を制御する。
【００２６】
電源装置１７は、情報処理装置全般に電力を供給するものであって、外部のＡＣ電源１８からの交流電圧を直流電圧に変換して、この直流電圧を供給したり、あるいは内蔵電池１９の直流電圧を供給する。
【００２７】
表示コントローラ１５は、中央処理装置１４からの画像データに基づいて画像信号を形成し、この画像信号を反射型液晶表示装置１２に与えて、画像を反射型液晶表示装置１２の表示画面に表示する。
【００２８】
フロントライト照度コントローラ１６は、フロントライト１３を点灯したり消灯し、点灯しているときには電源装置１７からフロントライト１３への電力を増減することによって該フロントライト１３の照度を調節する。フロントライト１３は、点灯しているときに反射型液晶表示装置１２の表示画面を照明する。
【００２９】
更に、中央処理装置１４は、情報処理装置周辺の外光の照度を感知する光センサ２１、時間を計時するタイマー２２、入力装置２３、プログラムやデータをリアルタイムに記憶するメモリ装置２４、ハードディスクなどの外部補助記憶装置２５、情報処理装置以外のデバイスや他の情報処理装置と通信するための外部通信インターフェイス２６等に接続され、情報処理装置を統括的に制御する。
【００３０】
入力装置２３は、キーボード２３ａ、タッチ入力装置２３ｂ、ペン入力装置２３ｃ、指紋照合装置２３ｄからなる。タッチ入力装置２３ｂ及びペン入力装置２３ｃは、反射型液晶表示装置１２の表示画面上に重ねられたタブレット（２次元座標を検出する透明パネル）に対して利用者の手の指又は予設定のペンによって指定された座標を検出する。指紋照合装置２３ｄは、利用者の指紋を読み取り、この指紋を予め登録されている指紋と照合する。
【００３１】
光センサ２１は、表示用照明装置１１の複数箇所に固定された第１光センサ２１ａ及び第２光センサ２１ｂ、表示用照明装置１１から離間して配置された第３光センサ２１ｃ及び第４光センサ２１ｄからなる。
【００３２】
図２は、本実施形態の表示用照明装置が適用される情報処理装置のソフトウェアの構成を概略的に示している。図２において、アプリケーションソフトウェア３１は、オペレーティングシステムなどの基本ソフトウェア３２、表示ドライバソフトウェア３３、パワーマネンジメントソフトウェア３４、その他のドライバソフトウェア３５を使用して実行することができ、自らも実行される。表示ドライバソフトウェア３３は、表示コントローラ１５、フロントライト照度コントローラ１６、タイマー２２等のハードウェア資源を制御するためのものである。パワーマネジメントソフトウェア３４は、電源装置１７等のデバイスを制御する。その他のドライバソフトウェア３５は、光センサ２１、入力装置２３、メモリ装置２４、外部補助記憶装置２５、外部通信インターフェイス２６等のデバイスを制御する。
【００３３】
これらのソフトウェアは、メモリ装置２４や外部補助記憶装置２５等に記憶されており、中央処理装置１４によって適宜に読み出され実行される。
【００３４】
次に、本実施形態の表示用照明装置によるフロントライト１３の制御において用いられる各種のデータを図３乃至図１０を参照して説明する。これらのデータは、ソフトウェアと同様に、メモリ装置２４や外部補助記憶装置２５等に記憶され、中央処理装置１４によって適宜に読み出され用いられる。
【００３５】
図３（ａ），（ｂ）は、フロントライトモード設定テーブルを示す。このフロントライトモード設定テーブルは、図３（ａ）の光センサ設定テーブル４１、及び図３（ｂ）の入力設定テーブル４２からなる。
【００３６】
図３（ａ）の光センサ設定テーブル４１は、光センサ２１に入力された照度と比較される各しきい値Ｌ０〜Ｌｎと、これらのしきい値Ｌ０〜Ｌｎに対応する各フロントライト制御値ＯＦＦ，ＯＮ１，ＯＮ２，……からなる。フロントライト制御値ＯＦＦは、フロントライトの消灯を示すコマンドであり、フロントライト制御値ＯＮ１，ＯＮ２，……は、フロントライト１３の照度を示すコマンドである。光センサ２１に入力された照度未満であってかつ最大のしきい値を各しきい値Ｌ０〜Ｌｎのうちから選択し、この最大のしきい値に対応するフロントライト制御値が選択される。
【００３７】
図３（ｂ）の入力設定テーブル４２は、入力装置２３、光センサ２１等からの各入力データＩ０〜Ｉｎと、これらの入力データＩ０〜Ｉｎに対応する各フロントライト制御値ＯＦＦ，ＯＮ１，ＯＮ２，……からなる。入力装置２３の操作や光センサ２１の検出レベルの急激な変動を各入力データＩ０〜Ｉｎとし、各入力データＩ０〜Ｉｎのいずれかが入力されると、この入力された入力データに対応するフロントライト制御値が選択される。
【００３８】
図４は、個人認証テーブル及び個人別パターンマッチングテーブルを示す。個人認証テーブル４３は、登録された各メンバー名Ｎａｍｅ０〜Ｎａｍｅｎと、これらのメンバー名Ｎａｍｅ０〜Ｎａｍｅｎに対応する各認証方法“Ｓｉｇｎ，ＩＤ”，“Ｓｉｇｎ，Ｆｉｎｇｅｒ”，……並びに各インデックスＮ０〜Ｎｎからなる。各認証方法“Ｓｉｇｎ，ＩＤ”，“Ｓｉｇｎ，Ｆｉｎｇｅｒ”，……は、各メンバー名Ｎａｍｅ０〜Ｎａｍｅｎのメンバーを認証するための方法である。例えば、“Ｓｉｇｎ，ＩＤ”は、サイン又は識別番号が入力装置２３に入力されると、これらのサイン又は識別番号に対応するメンバー名Ｎａｍｅ０のメンバーを認証するというものである。“Ｓｉｇｎ，Ｆｉｎｇｅｒ”は、サイン又は指紋が入力装置２３に入力されると、これらのサイン又は指紋に対応するメンバー名Ｎａｍｅ１のメンバーを認証するというものである。更に、“Ｎｏｎ”は、認証しないことを示す。各インデックスＮ０〜Ｎｎは、それぞれの個人別マッチングテーブル４４−０〜４４−ｎを示している。但し、認証方法“Ｎｏｎ”のインデックスに対応するマッチングテーブルはない。これらのマッチングテーブル４４−０〜４４−ｎは、入力装置２３に入力される各入力データＩ０〜Ｉｎと、これらの入力データＩ０〜Ｉｎに対応する各フロントライト制御値ＯＦＦ，ＯＮ１，ＯＮ２，……からなる。
【００３９】
所定の認証方法に基づいてメンバー名のメンバーが認証されると、このメンバー名に対応するインデックスの個人別マッチングテーブルが選択される。この個人別マッチングテーブルにおける各入力データＩ０〜Ｉｎのいずれかが入力されると、この入力された入力データに対応するフロントライト制御値が選択される。
【００４０】
“ＩＤ”の識別番号は、予め登録されたもので、キーボード２３ａの操作によって識別番号が入力されると、予め登録された識別番号と入力された識別番号を比較して、該識別番号をメンバーのものとして認証する否かを決定する。また、“Ｓｉｇｎ”のサインは、メンバーによって筆記された該メンバーのサインを図形情報に変換して登録したもので、タッチ入力装置２３ｂ及びペン入力装置２３ｃの操作によってサインが入力されると、該サインを図形情報に変換し、予め登録された図形情報と入力された図形情報を比較して、該図形情報、つまり該サインをメンバーのものとして認証する否かを決定する。更に、“Ｆｉｎｇｅｒ”の指紋は、メンバーの指紋を画像処理によって読み込んで登録したもので、指紋照合装置２３ｄによって指紋が読み取られると、予め登録された指紋と読み取られた指紋を比較して、該指紋をメンバーのものとして認証するか否かを決定する。
【００４１】
図５（ａ），（ｂ），（ｃ）は、パワーマネジメント設定テーブルを示す。このパワーマネジメント設定テーブルは、図５（ａ）のバッテリー設定テーブル４５、図５（ｂ）のパワーマネージメントタイムテーブル４６、及び図５（ｃ）の復帰コマンドテーブル４７からなる。
【００４２】
図５（ａ）のバッテリー設定テーブル４５は、電源装置１７によって検出された内蔵電池１９の充電レベルと比較される各しきい値Ａ０，Ｂ１，……と、これらのしきい値Ａ０，Ｂ１，……に対応する各フロントライト制御値ＯＮ１，ＯＦＦ，……からなる。電源装置１７によって検出された充電レベル未満であってかつ最大のしきい値を各しきい値Ａ０，Ｂ１，……のうちから選択し、この最大のしきい値に対応するフロントライト制御値が選択される。
【００４３】
図５（ｂ）のパワーマネージメントタイムテーブル４６は、各時間しきい値Ｔａ＿ＯＮ，Ｔａ＿ＯＦＦ，……と、これらの時間しきい値Ｔａ＿ＯＮ，Ｔａ＿ＯＦＦ，……に対応する各フロントライト制御値ＯＮｉ，ＯＦＦ，……からなる。各時間しきい値Ｔａ＿ＯＮ，Ｔｂ＿ＯＮは、各時間しきい値Ｔａ＿ＯＦＦ，Ｔｂ＿ＯＦＦよりも短く、消灯されているフロントライト１３を点灯させるまでの時間（アイドリング時間）を示し、各時間しきい値Ｔａ＿ＯＦＦ，Ｔｂ＿ＯＦＦは、点灯されているフロントライト１３を消灯させるまでの時間（パワーマネジメント（ＰＭ）時間）を示す。フロントライト制御値ＯＮｉは、フロントライト１３の点灯を示し、フロントライト制御値ＯＦＦは、フロントライト１３の消灯を示す。
【００４４】
図５（ｃ）の復帰コマンドテーブル４７は、各復帰キー“ペン”，“タッチ”，……と、これらの復帰キー“ペン”，“タッチ”，……に対応する各ＰＭ復帰“Ｙｅｓ”，“Ｙｅｓ”，……、各アイドリング復帰“Ｙｅｓ”，“Ｙｅｓ”，……、並びに各操作“Ｙｅｓ”，“Ｙｅｓ”，……からなる。“Ｙｅｓ”は、フロントライト１３の照度変更可を示し、“Ｎｏ”は、フロントライト１３の照度変更不可を示す。
【００４５】
通常、図３、図４及び図５の各テーブルは、外部補助記憶装置２５に記憶されており、ソフトウェアが必要としたときに、メモリ装置２４にロードされる。
【００４６】
この様な構成の表示用照明装置１１においては、図６、図７、図８、図９及び図１０に示すフローチャートに従ってフロントライト１３の照明制御を行う。図６は該照明制御の概略を示すフローチャートであり、図７、図８、図９及び図１０は図６の各ステップを詳しく示すフローチャートである。
【００４７】
さて、図６のフローチャートにおいて、フロントライト１３の照明制御に際し（ステップ１０１）、まず中央処理装置１４は、入力装置２３、光センサ２１等からの操作指示が有りか否かを判定する（ステップ１０２）。この操作指示とは、入力装置２３の入力操作や、光センサ２１による検出レベルの急激な変動等である。
【００４８】
この操作指示が無ければ（ステップ１０２，Ｎｏ）、ＡＣ電源１８及び内蔵電池１９のいずれかによる電源供給を行うためのパワーマネージメント処理に移り（ステップ１０３）、更に情報処理装置周辺の外光の照度又は内蔵電池１９の充電レベルに応じてフロントライト１３の照度を設定するための光センサ処理に移る（ステップ１０４）。また、操作指示が有れば（ステップ１０２，Ｙｅｓ）、入力装置２３、光センサ２１等からの操作指示に応答してフロントライト１３の照度を設定するための操作指示処理に移る（ステップ１０５）。
【００４９】
次に、中央処理装置１４は、上記各ステップ１０４，１０５のいずれかにおいて設定されたフロントライト１３の照度をフロントライト変数Ｖ＿Ｆｒｏｎｔ＿Ｌｉｇｈｔとし、このフロントライト変数Ｖ＿Ｆｒｏｎｔ＿Ｌｉｇｈｔを現在設定されているフロントライト値Ｒ＿Ｆｒｏｎｔ＿Ｌｉｇｈｔと比較する（ステップ１０６）。そして、両者の値が異なれば（ステップ１０６，Ｙｅｓ）、中央処理装置１４は、現在設定されているフロントライト値Ｒ＿Ｆｒｏｎｔ＿Ｌｉｇｈｔを該フロントライト変数Ｖ＿Ｆｒｏｎｔ＿Ｌｉｇｈｔに更新し、この更新されたフロントライト値Ｒ＿Ｆｒｏｎｔ＿Ｌｉｇｈｔに対応する電力を電源装置１７からフロントライト１３へと供給させる。これによって、フロントライト１３が該更新されたフロントライト値Ｒ＿Ｆｒｏｎｔ＿Ｌｉｇｈｔの照度で発光する（ステップ１０７）。また、両者の値が一致すれば（ステップ１０６，Ｎｏ）、中央処理装置１４は、現在設定されているフロントライト値Ｒ＿Ｆｒｏｎｔ＿Ｌｉｇｈｔを維持し、この維持されているフロントライト値Ｒ＿Ｆｒｏｎｔ＿Ｌｉｇｈｔに対応する電力を電源装置１７からフロントライト１３へと供給させる。これによって、これまでと同じ照度でフロントライト１３が発光する。この後、中央処理装置１４は、図６のフローチャートの処理の終了を確認する（ステップ１０８）。
【００５０】
すなわち、図６のフローチャートにおいては、入力装置２３、光センサ２１等からの操作指示が無ければ、ＡＣ電源１８及び内蔵電池１９のいずれかによる電源供給を行うかを決め、情報処理装置周辺の外光の照度又は内蔵電池１９の充電レベルに応じてフロントライト１３の照度を設定し、また操作指示が有れば、入力装置２３、光センサ２１等からの操作指示に応答してフロントライト１３の照度を設定する。そして、設定されたフロントライト１３の照度に基づいて、フロントライト値Ｒ＿Ｆｒｏｎｔ＿Ｌｉｇｈｔを設定し、フロントライト１３を該フロントライト値Ｒ＿Ｆｒｏｎｔ＿Ｌｉｇｈｔの照度で発光させる。
【００５１】
図７は、図６のステップ１０３のパワーマネージメント処理を詳しく示すフローチャートである。
【００５２】
まず、電源装置１７は、ＡＣ電源１８に接続されていれば、このＡＣ電源１８からの交流電圧を直流電圧に変換して、この直流電圧を情報処理装置の各部分に供給する。このとき、内蔵電池１９が充電状態にある。また、ＡＣ電源１８に接続されていなければ、内蔵電池１９の直流電圧を情報処理装置の各部分に供給する。但し、ＡＣ電源１８又は内蔵電池１９による電力供給開示時点では、フロントライト１３への電力供給が必ずしも行われていない。
【００５３】
中央処理装置１４は、ＡＣ電源１８による電力供給及び内蔵電池１９による電力供給のいずれかが行われているときに、いずれが行われているかを示す情報（電源モード）を電源装置１７から取得し（ステップ２０１）、タイマー２２によって計時されている現在の時間を現在時間Ｔ＿ｎｏｗとして設定する（ステップ２０２）。
【００５４】
次に、中央処理装置１４は、ＡＣ電源１８による電力供給が行われていれば（ステップ２０３，ＡＣ）、図５（ｂ）のパワーマネージメントタイムテーブル４６から外部のＡＣ電源１８による電力供給に係わる各時間しきい値Ｔａ＿ＯＮ，Ｔａ＿ＯＦＦを読み出し、現在時間Ｔ＿ｎｏｗとフロントライト１３を最後に消灯又は点灯に切り換えた時間Ｔ＿ｌａｓｔとの差の時間を求め、この差の時間を各時間しきい値Ｔａ＿ＯＮ，Ｔａ＿ＯＦＦと比較する（各ステップ２０４，２０５）。ＡＣ電源１８による電力供給の開始された直後は、該差の時間が各時間しきい値Ｔａ＿ＯＮ，Ｔａ＿ＯＦＦよりも短く、図７のフローチャートの処理を終了する。
【００５５】
フロントライト１３の点灯から時間が経過して、上記差の時間が時間しきい値Ｔａ＿ＯＦＦよりも長くなったと判定されると（ステップ２０４，Ｎｏ）、つまり点灯時間が時間しきい値Ｔａ＿ＯＦＦよりも長くなると、中央処理装置１４は、電源変数Ｆｒｏｎｔ＿Ｌｉｇｈｔを“ＯＦＦ”に設定し（ステップ２０８）、図７のフローチャートの処理を終了する。
【００５６】
また、フロントライト１３の消灯から時間が経過して、上記差の時間が時間しきい値Ｔａ＿ＯＮよりも長くなったと判定されると（ステップ２０５，Ｎｏ）、つまり消灯時間が時間しきい値Ｔａ＿ＯＮよりも長くなると、中央処理装置１４は、電源変数Ｆｒｏｎｔ＿Ｌｉｇｈｔを“ＡＣ／ＯＮ”に設定し（ステップ２０６）、図７のフローチャートの処理を終了する。
【００５７】
一方、中央処理装置１４は、内蔵電池１９による電力供給が行われていれば（ステップ２０３，Ｂａｔｔｅｒｙ）、図５（ｂ）のパワーマネージメントタイムテーブル４６から内蔵電池１９による電力供給に係わる各時間しきい値Ｔｂ＿ＯＮ，Ｔｂ＿ＯＦＦを読み出し、現在時間Ｔ＿ｎｏｗとフロントライト１３を最後に切り換えた時間Ｔ＿ｌａｓｔとの差を求め、この差の時間を各時間しきい値Ｔｂ＿ＯＮ，Ｔｂ＿ＯＦＦと比較する（各ステップ２０９，２１０）。内蔵電池１９による電力供給の開始された直後は、該差の時間が各時間しきい値Ｔｂ＿ＯＮ，Ｔｂ＿ＯＦＦよりも短く、図７のフローチャートの処理を終了する。
【００５８】
フロントライト１３の点灯から時間が経過して、上記差の時間が時間しきい値Ｔｂ＿ＯＦＦよりも長くなったと判定されると（ステップ２０９，Ｎｏ）、つまり点灯時間が時間しきい値Ｔｂ＿ＯＦＦよりも長くなると、中央処理装置１４は、電源変数Ｆｒｏｎｔ＿Ｌｉｇｈｔを“ＯＦＦ”に設定し（ステップ２０８）、図７のフローチャートの処理を終了する。
【００５９】
また、フロントライト１３の消灯から時間が経過して、上記差の時間が時間しきい値Ｔｂ＿ＯＮよりも長くなったと判定されると（ステップ２１０，Ｎｏ）、つまり消灯時間が時間しきい値Ｔｂ＿ＯＮよりも長くなると、中央処理装置１４は、電源変数Ｆｒｏｎｔ＿Ｌｉｇｈｔを“Ｂａｔｔｅｒｙ／ＯＮ”に設定し（ステップ２１１）、図７のフローチャートの処理を終了する。
【００６０】
すなわち、図７のフローチャートにおいては、フロントライト１３の点灯時間が時間しきい値Ｔａ＿ＯＦＦ又はＴｂ＿ＯＦＦよりも長くなると、電源変数Ｆｒｏｎｔ＿Ｌｉｇｈｔを“ＯＦＦ”に設定し、またフロントライト１３の消灯時間が時間しきい値Ｔａ＿ＯＮ又はＴｂ＿ＯＮよりも長くなると、電源変数Ｆｒｏｎｔ＿Ｌｉｇｈｔを“ＡＣ／ＯＮ”又は“Ｂａｔｔｅｒｙ／ＯＮ”に設定している。
【００６１】
図８は、図６のステップ１０４の光センサ処理を詳しく示すフローチャートである。
【００６２】
まず、中央処理装置１４は、図７のフローチャートの各ステップ２０６，２０８，２１１で示した電源変数Ｆｒｏｎｔ＿Ｌｉｇｈｔを判定する（ステップ３０１）。この電源変数Ｆｒｏｎｔ＿Ｌｉｇｈｔがステップ２０８において“ＯＦＦ”に設定されていれば（ステップ３０１，ＯＦＦ）、中央処理装置１４は、フロントライト変数Ｖ＿Ｆｒｏｎｔ＿Ｌｉｇｈｔを“ＯＦＦ”に設定して（ステップ３０２）、図８のフローチャートの処理を終了する。
【００６３】
また、電源変数Ｆｒｏｎｔ＿Ｌｉｇｈｔがステップ２０６において“ＡＣ／ＯＮ”と設定されていれば（ステップ３０１，ＡＣ／ＯＮ）、中央処理装置１４は、光センサ２１の検出出力に基づいて該光センサ２１に入力された照度を取得し、この検出された照度未満であってかつ最大のしきい値を図３（ａ）の光センサ設定テーブル４１の各しきい値Ｌ０〜Ｌｎのうちから選択して、この最大のしきい値に対応するフロントライト制御値を選択する（ステップ３０３）。そして、中央処理装置１４は、このフロントライト制御値をフロントライト変数Ｖ＿Ｆｒｏｎｔ＿Ｌｉｇｈｔとして設定する（ステップ３０４）。
【００６４】
また、電源変数Ｆｒｏｎｔ＿Ｌｉｇｈｔがステップ２１１において“Ｂａｔｔｅｒｙ／ＯＮ”と設定されていれば（ステップ３０１，Ｂａｔｔｅｒｙ／ＯＮ）、中央処理装置１４は、電源装置１７によって検出された内蔵電池１９の充電レベル未満であってかつ最大のしきい値を図５（ａ）のバッテリー設定テーブル４５の各しきい値Ａ０，Ｂ１，……のうちから選択し、この最大のしきい値に対応するフロントライト制御値を選択する（ステップ３０５）。また、中央処理装置１４は、光センサ２１の検出出力に基づいて該光センサ２１に入力された照度を取得し、この検出された照度未満であってかつ最大のしきい値を図３（ａ）の光センサ設定テーブル４１の各しきい値Ｌ０〜Ｌｎのうちから選択し、この最大のしきい値に対応するフロントライト制御値を選択する（ステップ３０６）。更に、中央処理装置１４は、バッテリー設定テーブル４５から選択されたフロントライト制御値と光センサ設定テーブル４１から選択されたフロントライト制御値を比較し（ステップ３０７）、バッテリー設定テーブル４５から選択されたフロントライト制御値が大きければ（ステップ３０７，Ｙｅｓ）、光センサ設定テーブル４１の方を選択し、上記検出された照度未満であってかつ最大のしきい値に対応するフロントライト制御値をフロントライト変数Ｖ＿Ｆｒｏｎｔ＿Ｌｉｇｈｔとして設定する（ステップ３０４）。また、光センサ設定テーブル４１から選択されたフロントライト制御値が大きければ（ステップ３０７，Ｎｏ）、バッテリー設定テーブル４５の方を選択し、上記内蔵電池１９の充電レベル未満であってかつ最大のしきい値に対応するフロントライト制御値をフロントライト変数Ｖ＿Ｆｒｏｎｔ＿Ｌｉｇｈｔとして設定する（ステップ３０８）。この後、図８のフローチャートの処理を終了する。
【００６５】
すなわち、図８のフローチャートにおいては、電源変数Ｆｒｏｎｔ＿Ｌｉｇｈｔが“ＯＦＦ”であれば、フロントライト変数Ｖ＿Ｆｒｏｎｔ＿Ｌｉｇｈｔを“ＯＦＦ”に設定し、また電源変数Ｆｒｏｎｔ＿Ｌｉｇｈｔが“ＡＣ／ＯＮ”であれば、フロントライト変数Ｖ＿Ｆｒｏｎｔ＿Ｌｉｇｈｔを光センサ２１によって検出された照度に応じて設定し、また電源変数Ｆｒｏｎｔ＿Ｌｉｇｈｔが“Ｂａｔｔｅｒｙ／ＯＮ”であれば、フロントライト変数Ｖ＿Ｆｒｏｎｔ＿Ｌｉｇｈｔを内蔵電池１９の充電レベル又は光センサ２１によって検出された照度に応じて設定している。
【００６６】
図９は、図６のステップ１０５の操作指示処理を詳しく示すフローチャートである。
【００６７】
まず、図６のステップ１０２において入力装置２３、光センサ２１等からの操作指示が有ると、中央処理装置１４は、これまでの動作モードがアイドリングモード及びパワーマネージメントモードのいずれであるかを判定する（ステップ４０１）。アイドリングモードとは、図７のステップ２０８におけるフロントライト１３の消灯を継続している状態である。また、パワーマネージメントモードとは、図７のステップ２０６又はステップ２１１におけるフロントライト１３の点灯を継続している状態である。更に、これまでの動作モードがアイドリングモード及びパワーマネージメントモードのいずれでもないときには、操作モードが選択される（ステップ４０１）。
【００６８】
これまでの動作モードがアイドリングモードであれば（ステップ４０１，アイドリング復帰）、中央処理装置１４は、図６のステップ１０２における入力装置２３、光センサ２１等からの操作指示に相当する復帰キーを図５（ｃ）の復帰コマンドテーブル４７の各復帰キーから選択し、“アイドリング復帰”の欄に該選択された復帰キーに対応して“Ｙｅｓ”が登録されているか否かを判定する（ステップ４０２）。“Ｎｏ”が登録されていれば（ステップ４０２，Ｎｏ）、図９のフローチャートの処理を終了する。また、“Ｙｅｓ”が登録されていれば（ステップ４０２，Ｙｅｓ）、中央処理装置１４は、入力装置２３の入力操作によって認証モードが指定されているか否かを判定する（ステップ４０３）。そして、認証モードが指定されていれば（ステップ４０３，Ｙｅｓ）、中央処理装置１４は、入力装置２３に入力された識別番号、サイン、指紋を登録データと比較して、メンバーの認証処理を行い、認証できれば、メンバーのインデックスの個人別マッチングテーブルを選択し、入力装置２３に入力された入力データに対応するフロントライト制御値を個人別マッチングテーブルから選択し、このフロントライト制御値を該フロントライト変数Ｖ＿Ｆｒｏｎｔ＿Ｌｉｇｈｔとして設定する（ステップ４０４）。また、認証できなければ、フロントライト変数Ｖ＿Ｆｒｏｎｔ＿Ｌｉｇｈｔを設定せずに、図９のフローチャートの処理を終了する。
【００６９】
また、認証モードが指定されていなければ（ステップ４０３，Ｎｏ）、中央処理装置１４は、入力装置２３の操作や光センサ２１の検出出力の急激な変動（入力データ）に対応するフロントライト制御値を図３（ｂ）の入力設定テーブル４２から選択し、このフロントライト制御値を該フロントライト変数Ｖ＿Ｆｒｏｎｔ＿Ｌｉｇｈｔとして設定し（ステップ４０５）、図９のフローチャートの処理を終了する。
【００７０】
また、これまでの動作モードがパワーマネージメントモードであれば（ステップ４０１，ＰＭ復帰）、中央処理装置１４は、図６のステップ１０２における入力装置２３、光センサ２１等からの操作指示に相当する復帰キーを図５（ｃ）の復帰コマンドテーブル４７の各復帰キーから選択し、“ＰＭ復帰”の欄に該選択された復帰キーに対応して“Ｙｅｓ”が登録されているか否かを判定する（ステップ４０７）。“Ｎｏ”が登録されていれば（ステップ４０７，Ｎｏ）、図９のフローチャートの処理を終了する。また、“Ｙｅｓ”が登録されていれば（ステップ４０７，Ｙｅｓ）、中央処理装置１４は、入力装置２３の入力操作によって認証モードが指定されているか否かを判定する（ステップ４０３）。そして、認証モードが指定されていれば（ステップ４０３，Ｙｅｓ）、中央処理装置１４は、入力装置２３に入力された識別番号、サイン、指紋を登録データと比較して、メンバーの認証処理を行い、認証できれば、メンバーのインデックスの個人別マッチングテーブルを選択し、入力装置２３に入力された入力データに対応するフロントライト制御値を該個人別マッチングテーブルから選択し、このフロントライト制御値をフロントライト変数Ｖ＿Ｆｒｏｎｔ＿Ｌｉｇｈｔとして設定する（ステップ４０４）。また、認証できなければ、フロントライト変数Ｖ＿Ｆｒｏｎｔ＿Ｌｉｇｈｔを設定せずに、図９のフローチャートの処理を終了する。
【００７１】
また、認証モードが指定されていなければ（ステップ４０３，Ｎｏ）、中央処理装置１４は、入力装置２３の操作や光センサ２１の検出出力の急激な変動（入力データ）に対応するフロントライト制御値を図３（ｂ）の入力設定テーブル４２から選択し、このフロントライト制御値を該フロントライト変数Ｖ＿Ｆｒｏｎｔ＿Ｌｉｇｈｔとして設定し（ステップ４０５）、図９のフローチャートの処理を終了する。
【００７２】
更に、操作モードが選択されると（ステップ４０１，操作モード）、中央処理装置１４は、図６のステップ１０２における入力装置２３、光センサ２１等からの操作指示に相当する復帰キーを図５（ｃ）の復帰コマンドテーブル４７の各復帰キーから選択し、“操作”の欄に該選択された復帰キーに対応して“Ｙｅｓ”が登録されているか否かを判定する（ステップ４０６）。“Ｎｏ”が登録されていれば（ステップ４０６，Ｎｏ）、図９のフローチャートの処理を終了する。また、“Ｙｅｓ”が登録されていれば（ステップ４０６，Ｙｅｓ）、中央処理装置１４は、入力装置２３の入力操作によって認証モードが指定されているか否かを判定する（ステップ４０３）。そして、認証モードが指定されていれば（ステップ４０３，Ｙｅｓ）、中央処理装置１４は、入力装置２３に入力された識別番号、サイン、指紋を登録データと比較して、メンバーの認証処理を行い、認証できれば、メンバーのインデックスの個人別マッチングテーブルを選択し、入力装置２３に入力された入力データに対応するフロントライト制御値を該個人別マッチングテーブルから選択し、このフロントライト制御値をフロントライト変数Ｖ＿Ｆｒｏｎｔ＿Ｌｉｇｈｔとして設定する（ステップ４０４）。また、認証できなければ、フロントライト変数Ｖ＿Ｆｒｏｎｔ＿Ｌｉｇｈｔを設定せずに、図９のフローチャートの処理を終了する。
【００７３】
また、認証モードが指定されていなければ（ステップ４０３，Ｎｏ）、中央処理装置１４は、入力装置２３の操作や光センサ２１の検出出力の急激な変動（入力データ）に対応するフロントライト制御値を図３（ｂ）の入力設定テーブル４２から選択し、このフロントライト制御値を該フロントライト変数Ｖ＿Ｆｒｏｎｔ＿Ｌｉｇｈｔとして設定し（ステップ４０５）、図９のフローチャートの処理を終了する。
【００７４】
すなわち、図９のフローチャートにおいては、入力装置２３、光センサ２１等からの操作指示に応答してフロントライト１３を制御するに際し、操作指示に応じて制御することが許可されているか否かを判定し、許可されていれば、個人別マッチングテーブル又は入力設定テーブル４２に基いてフロントライト変数Ｖ＿Ｆｒｏｎｔ＿ＬｉＩｇｈｔを設定している。操作指示とは、入力装置２３の入力操作や光センサ２１の検出レベルの急激な変動等である。従って、入力装置２３が操作されたり、光センサ２１の前方を人が横切って、光センサ２１による検出レベルが急激に変動したときに、フロントライト変数Ｖ＿Ｆｒｏｎｔ＿ＬｉＩｇｈｔが設定される。
【００７５】
こうしてフロントライト変数Ｖ＿Ｆｒｏｎｔ＿ＬｉＩｇｈｔが一旦設定されると、ステップ１０５（図９のフローチャートの処理）が周期的に繰り返されても、入力装置２３の入力操作によって予め設定された変更モードが指定されない限り、フロントライト変数Ｖ＿Ｆｒｏｎｔ＿ＬｉＩｇｈｔが変更されることはない。また、入力装置２３、光センサ２１等からの操作指示がなく（ステップ１０２，Ｎｏ）、各ステップ１０３，１０４に移ると、フロントライト１３の点灯時間が時間しきい値Ｔａ＿ＯＦＦ又はＴｂ＿ＯＦＦよりも長くなったときに、電源変数Ｆｒｏｎｔ＿Ｌｉｇｈｔが“ＯＦＦ”に設定され、フロントライト変数Ｖ＿Ｆｒｏｎｔ＿ＬｉＩｇｈｔが“ＯＦＦ”に変更される。
【００７６】
次に、図１０を参照して、図６のステップ１０７のフロントライト照度変更処理を詳しく述べる。
【００７７】
図６のステップ１０４の光センサ処理又はステップ１０５の操作指示処理によって、フロントライト変数Ｖ＿Ｆｒｏｎｔ＿Ｌｉｇｈｔが求められたので、中央処理装置１４は、現在設定されているフロントライト値Ｒ＿Ｆｒｏｎｔ＿Ｌｉｇｈｔを該フロントライト変数Ｖ＿Ｆｒｏｎｔ＿Ｌｉｇｈｔに更新し、この更新されたフロントライト値Ｒ＿Ｆｒｏｎｔ＿Ｌｉｇｈｔに対応する電力を電源装置１７からフロントライト１３へと供給させ、フロントライト１３を該更新されたフロントライト値Ｒ＿Ｆｒｏｎｔ＿Ｌｉｇｈｔの照度で発光させる（ステップ５０１）。この後、フロントライト１３を最後に消灯又は点灯に切り換えた時間Ｔ＿ｌａｓｔを現在の時間に更新する（ステップ５０２）。
【００７８】
この様に本実施形態においては、ＡＣ電源１８及び内蔵電池１９別に予め設定された各時間しきい値や、光センサによって検出された外光のレベル、内蔵電池１９の充電レベル、入力装置２３の操作等に基づいて、フロントライト１３による照明を行うか否か、その照度等を決めているので、消費電力の低減を充分に行え、かつ使い勝手が良い。
【００７９】
また、光センサ２１として、表示用照明装置１１に固定された第１光センサ２１ａ及び第２光センサ２１ｂ、表示用照明装置１１から離間して配置された第３光センサ２１ｃ及び第４光センサ２１ｄを備えている。第１光センサ２１ａ及び第２光センサ２１ｂの検出レベルは、図８の光センサ処理において用いられるものであって、これらの検出レベルに基いて表示装置１２周辺の明るさを判定すれば、周辺の明るさの判定をより正確に行うことができる。また、第３光センサ２１ｃ及び第４光センサ２１ｄの検出レベルに基いて表示装置１２に近づいた人影を検出することができる。これらの光センサの検出出力は、図９のフローチャートにおける操作指示として用いられ、人の接近に応答してフロントライト１３を制御することを可能にする。
【００８０】
尚、本発明は、上記実施形態に限定されるものでなく、多様に変形することができる。例えば、透過兼反射型液晶表示装置や、その他の外部照明を必要とする表示装置に本発明を適用することができる。
【００８１】
【発明の効果】
以上説明した様に、本発明によれば、表示画面を照明する光源に電力を供給するか否かを外光の明るさに応じて判定している。そして、光源に電力を供給すると判定した場合は、種々の条件に基づいて光源への供給電力を制御している。すなわち、外光の明るさに応じて光源に電力を供給するか否かを決めるだけでなく、種々の条件に基づいて光源への供給電力を制御し、これによって消費電力を低減し、かつ使い勝手を向上を果たしている。
【００８２】
一実施形態では、表示画面を照明する光源を必要とする表示装置として、反射型液晶表示装置及び透過兼反射型液晶表示装置が挙げられる。
【００８３】
一実施形態では、前記制御手段は、前記条件設定手段による条件に基づいて前記光源への供給電力を調節する。光源への供給電力を増減すれば、光源の照度を調節することができ、必要以上に光源の照度を高くして、電力を無駄に消費したり、光源の照度が低すぎて、表示画面が見難くなることを避けることができる。
【００８４】
一実施形態では、前記制御手段は、前記外光検出手段によって検出された外光の明るさに対応する前記光源の供給電力を求め、前記条件設定手段による条件に基づいて該求められた供給電力を制御することによって、前記光源の照度を調節する。外光の明るさに応じて光源への供給電力を増減し、光源の照度を適宜に設定すれば、電力を有効に使用することができる。
【００８５】
一実施形態では、前記制御手段は、前記条件設定手段による条件に基づいて前記光源への供給電力を停止する。光源の電力を停止すれば、電力を無駄に消費することがない。
【００８６】
一実施形態では、前記制御手段は、前記光源への供給電力を停止した後に、前記条件設定手段による条件に基づいて前記光源への電力の供給を再開する。光源の電力を停止した後でも、所定の条件に応じて光源への電力の供給を再開すれば、使い勝手が向上する。
【００８７】
一実施形態では、前記光源に電力を供給するための電源として、外部電源、及び該表示用照明装置に内蔵の電池を用いており、前記外部電源及び前記内蔵の電池別に、前記条件設定手段においてそれぞれの条件が設定されて、前記光源への供給電力が制御される。外部電源による電力供給は、長時間の継続が見込める。これに対して内蔵の電池による電力供給は、短時間に限定される。このため、外部電源及び内蔵の電池別に、それぞれの条件に基づいて光源への供給電力を制御する。
【００８８】
一実施形態では、前記光源に電力を供給するための電源として、該表示用照明装置に内蔵の電池を用いており、前記内蔵の電池の充電レベルを検出する充電レベル検出手段を備え、前記制御手段は、前記充電レベル検出手段によって検出された前記内蔵の電池の充電レベルが予め定められたしきい値以下になると、該内蔵の電池による前記光源への電力供給を停止する。これによって、内蔵の電池の電力供給能力が低下したときには、該電力供給が停止される。
【００８９】
一実施形態では、複数の前記外光検出手段を備え、前記制御手段は、前記各外光検出手段によって検出された外光の明るさに応じて前記光源の供給電力を制御する。この場合、複数箇所で外光の明るさが検出されるので、表示画面の明るさを正確に判定することができる。
【００９０】
一実施形態では、外部の外部外光検出手段が有り、前記制御手段は、前記外部外光検出手段によって検出された外光の明るさに応じて前記光源の供給電力を制御する。例えば、外部外光検出手段によって利用者が近づいてきたことを検出し、光源の供給電力を制御する。
【００９１】
一実施形態では、前記制御手段は、前記光源の供給電力を複数のレベルのいずれかに調節する。
【００９２】
一実施形態では、前記外光検出手段によって検出された外光の明るさに応じて前記光源の供給電力を複数のレベルのいずれかに調節する。
【００９３】
一実施形態では、個人を識別するための個人識別機能を備え、前記条件設定手段によって前記個人に応じた条件が設定され、前記制御手段は、前記個人識別機能によって個人が識別されると、前記条件設定手段によって設定された該個人に応じた条件に基づいて前記光源への供給電力を制御している。個人を識別し、個人に応じた条件に基づいて光源への供給電力を制御すれば、個人の好みに応じて光源の照度を過不足無く設定することができる。あるいは、他人による使用を禁止することができる。
【図面の簡単な説明】
【図１】本発明の表示用照明装置の一実施形態を示すブロック図である。
【図２】本実施形態の表示用照明装置が適用される情報処理装置のソフトウェアの構成を概略的に示すブロック図である。
【図３】（ａ）は本実施形態の表示用照明装置における光センサ設定テーブルを示す図、（ｂ）は本実施形態の表示用照明装置における入力設定テーブルを示す図である。
【図４】本実施形態の表示用照明装置における個人認証テーブル及び個人別パターンマッチングテーブルを示す図である。
【図５】（ａ）は本実施形態の表示用照明装置におけるバッテリー設定テーブルを示す図、（ｂ）は本実施形態の表示用照明装置におけるパワーマネージメントタイムテーブルを示す図、（ｃ）は本実施形態の表示用照明装置における復帰コマンドテーブルを示す図である。
【図６】本実施形態の表示用照明装置における照明制御の概略を示すフローチャートである。
【図７】図６のステップ１０３のパワーマネージメント処理を詳しく示すフローチャートである。
【図８】図６のステップ１０４の光センサ処理を詳しく示すフローチャートである。
【図９】図６のステップ１０５の操作指示処理を詳しく示すフローチャートである。
【図１０】図６のステップ１０７のフロントライト照度変更処理を示すフローチャートである。
【符号の説明】
１１  表示用照明装置
１２  反射型液晶表示装置
１３  フロントライト
１４  中央処理装置
１５  表示コントローラ
１６  フロントライト照度コントローラ
１７  電源装置
１８  ＡＣ電源
１９  内蔵電池
２１  光センサ
２２  タイマー
２３  入力装置
２４  メモリ装置
２５  外部補助記憶装置
２６  外部通信インターフェイス
【図１】
0004247855.tif 000002
【図２】
0004247855.tif 000003
【図３】
0004247855.tif 000004
【図４】
0004247855.tif 000005
【図５】
0004247855.tif 000006
【図６】
0004247855.tif 000007
【図７】
0004247855.tif 000008
【図８】
0004247855.tif 000009
【図９】
0004247855.tif 000010
【図１０】
0004247855.tif 000011